(57)【特許請求の範囲】
【請求項１】
障子を構成する一方の縦框に上下方向に沿ってスライド可能に配設し、ロックピン及び開放防止突起を有した制御ロッドと、
前記縦框に対向する縦枠に配設し、前記制御ロッドが施錠位置に配置された場合に前記ロックピンに係合するロック受けと、
前記縦枠において前記ロック受けよりも下方となる位置に配設し、前記制御ロッドが施錠位置から下方にスライドして前記ロックピンが前記ロック受けに対して非対向となる開き位置に配置された場合に前記開放防止突起よりも下方に位置する突起受けと、
下枠において前記制御ロッドの延長上となる位置に配設し、前記制御ロッドの前記開放防止突起が前記突起受けよりも下方となる倒し位置に配置された場合に前記制御ロッドの下端部が挿入される挿入孔を有した下部ブロック部材とを備え、
前記制御ロッドが施錠位置に配置された場合に前記縦枠に対する前記障子の開き方向への移動を阻止し、かつ前記制御ロッドが開き位置に配置された場合に前記縦框が戸先となるように前記縦枠に対する前記障子の開きを許容し、さらに前記制御ロッドが倒し位置に配置された場合に上框が戸先となるように前記縦枠に対する前記障子の倒しを許容するようにした建具であって、
前記下部ブロック部材とは別体の制御ブロック体をさらに備え、
前記下部ブロック部材の上面を基準として前記制御ブロック体を前記縦枠に位置決め固定し、この制御ブロック体に前記ロック受け及び前記突起受けを設けたことを特徴とする建具。
【請求項２】
前記制御ブロック体は、前記ロック受け及び前記突起受けを互いに個別に設けた上部ブロック部材及び中間ブロック部材を備え、かつこれら中間ブロック部材及び上部ブロック部材を前記下部ブロック部材の上面に順次積み重ねた状態で前記縦枠に固定したことを特徴とする請求項１に記載の建具。
【請求項３】
前記中間ブロック部材の突起受けは、前記制御ロッドが開き位置から倒し位置に移動する間に前記開放防止突起に対向することにより前記障子の開き方向への移動を阻止し、かつ前記制御ロッドの下端部が前記下部ブロック部材の挿入孔に挿入された場合に非対向の位置に配置されることを特徴とする請求項２に記載の建具。
【請求項４】
前記中間ブロック部材の突起受けは、前記障子が倒し位置に配置された場合に前記制御ロッドの前記開放防止突起に対して上方に位置し、前記障子の上方への移動を阻止するように機能することを特徴とする請求項２に記載の建具。
【発明の詳細な説明】
【技術分野】
【０００１】
本発明は、開口枠に対して障子が開き状態と倒し状態とに切り替え可能な建具に関するものである。
【背景技術】
【０００２】
建具には、障子の縦框に設けた操作ハンドルの操作により、開口枠に対して障子が内開きになる状態と内倒しになる状態とに切り替え可能に構成したものがある。この種の建具では、障子の縦框及び上框にそれぞれ長手方向に沿ってスライドする連係部材が設けられているとともに、連係部材の相互間がコーナードライブによって連係され、さらに縦框に設けた連係部材が操作ハンドルに連係されている。上框に設けた連係部材は、スライドした場合に、開口枠と上框との間に設けられたリンクの連係状態を切り替えるものである。縦框に設けた連係部材は、ロックピン及び開放防止突起を有した制御ロッドに連結してあり、スライドした場合に縦枠に設けた制御ブロック部材のロック受け及び突起受けとの相対位置を切り替えるとともに、下枠に設けた下部ブロック部材の挿入孔に対して先端部の挿抜状態を切り替えるものである。
【０００３】
この建具によれば、操作ハンドルを操作すると縦框に設けた連係部材に連動して上框に設けた連係部材がスライドされ、リンクの連係状態が切り替わるとともに、制御ロッドと制御ブロック部材及び下部ブロック部材との相対位置が連動して切り替わることになり、開口枠に対して障子が内開きになる状態と内倒しになる状態とに切り替えることが可能となる（例えば、特許文献１参照）。
【先行技術文献】
【特許文献】
【０００４】
【特許文献１】中国実用新案公告第２０１８８３８７８号明細書
【発明の概要】
【発明が解決しようとする課題】
【０００５】
上記のような建具において障子を円滑に開閉するには、障子の縦框に設けた制御ロッドに対してロック受け、突起受け及び下部ブロック部材を正確な高さ位置に配置する必要がある。このうち、下部ブロック部材については、下枠に設ける構成であるため、下枠の見込み面に搭載することでその高さ位置を正確に規定することが可能である。これに対してロック受け及び突起受けを設けた制御ブロック部材については、縦枠との間に高さ位置を規定する構成がない。このため従来では、障子に設けた制御ロッドと実際に位置合わせを行いながら制御ブロック部材を縦枠に取り付けるようにしており、作業が煩雑であるばかりか、ロック受け及び突起受けの高さ位置を正確に規定することができない場合もある。
【０００６】
本発明は、上記実情に鑑みて、ロック受け及び突起受けの高さ位置を容易に規定することのできる建具を提供することを目的とする。
【課題を解決するための手段】
【０００７】
上記目的を達成するため、本発明に係る建具は、障子を構成する一方の縦框に上下方向に沿ってスライド可能に配設し、ロックピン及び開放防止突起を有した制御ロッドと、前記縦框に対向する縦枠に配設し、前記制御ロッドが施錠位置に配置された場合に前記ロックピンに係合するロック受けと、前記縦枠において前記ロック受けよりも下方となる位置に配設し、前記制御ロッドが施錠位置から下方にスライドして前記ロックピンが前記ロック受けに対して非対向となる開き位置に配置された場合に前記開放防止突起よりも下方に位置する突起受けと、下枠において前記制御ロッドの延長上となる位置に配設し、前記制御ロッドの前記開放防止突起が前記突起受けよりも下方となる倒し位置に配置された場合に前記制御ロッドの下端部が挿入される挿入孔を有した下部ブロック部材とを備え、前記制御ロッドが施錠位置に配置された場合に前記縦枠に対する前記障子の開き方向への移動を阻止し、かつ前記制御ロッドが開き位置に配置された場合に前記縦框が戸先となるように前記縦枠に対する前記障子の開きを許容し、さらに前記制御ロッドが倒し位置に配置された場合に上框が戸先となるように前記縦枠に対する前記障子の倒しを許容するようにした建具であって、前記下部ブロック部材とは別体の制御ブロック体をさらに備え、前記下部ブロック部材の上面を基準として前記制御ブロック体を前記縦枠に位置決め固定し、この制御ブロック体に前記ロック受け及び前記突起受けを設けたことを特徴とする。
【０００８】
この発明によれば、下部ブロック部材の上面を基準として制御ブロック体を縦枠に位置決め固定することでロック受け及び突起受けの高さ位置を容易に、かつ正確に規定することができる。
【０００９】
また本発明は、上述した建具において、前記制御ブロック体は、前記ロック受け及び前記突起受けを互いに個別に設けた上部ブロック部材及び中間ブロック部材を備え、かつこれら中間ブロック部材及び上部ブロック部材を前記下部ブロック部材の上面に順次積み重ねた状態で前記縦枠に固定したことを特徴とする。
【００１０】
この発明によれば、制御ブロック体を取り付ける位置が左右で逆となる勝手違いの障子に対して部品の共用化を図ることが可能となる。
【００１１】
また本発明は、上述した建具において、前記中間ブロック部材の突起受けは、前記制御ロッドが開き位置から倒し位置に移動する間に前記開放防止突起に対向することにより前記障子の開き方向への移動を阻止し、かつ前記制御ロッドの下端部が前記下部ブロック部材の挿入孔に挿入された場合に非対向の位置に配置されることを特徴とする。
【００１２】
この発明によれば、開き位置から倒し位置に移行する間に開放防止突起が中間ブロック部材の突起受けに対向配置されることにより障子が開き方向に移動して開口枠から脱落する事態を防止することができる。
【００１３】
また本発明は、上述した建具において、前記中間ブロック部材の突起受けは、前記障子が倒し位置に配置された場合に前記制御ロッドの前記開放防止突起に対して上方に位置し、前記障子の上方への移動を阻止するように機能することを特徴とする。
【００１４】
この発明によれば、障子を倒している際には中間ブロック部材の突起受けが開放防止突起の上方に位置することにより、障子が上方に移動して開口枠から脱落する事態を防止することができる。
【発明の効果】
【００１５】
本発明によれば、下部ブロック部材の上面を基準として制御ブロック体を縦枠に位置決め固定することでロック受け及び突起受けの高さ位置を容易に、かつ正確に規定することができる。
【図面の簡単な説明】
【００１６】
【図１】図１は、本発明の実施の形態である建具を室内側から見た図である。
【図２】図２は、図１に示した建具の縦断面図である。
【図３】図３は、図１に示した建具の横断面図である。
【図４】図４は、図１に示した建具において開口枠に対する障子の開閉状態を切り替える機構を室内側から見たもので、操作ハンドルが施錠位置に配置された状態の図である。
【図５】図５は、図４に示す状態の障子を戸先側から見た図である。
【図６】図６は、図１に示した建具のヒンジ装置を室内側から見た斜視図である。
【図７】図７は、図１に示した建具の上部に適用されるヒンジ装置を室内側から見た分解斜視図である。
【図８】図８は、図１に示した建具の下部に適用されるヒンジ装置を室内側から見た分解斜視図である。
【図９】図９は、図１に示した建具において開口枠に対する障子の開閉状態を切り替える機構の要部を室内側から見た斜視図である。
【図１０】図１０は、図１に示した建具において開口枠に対する障子の開閉状態を切り替える機構を室内側から見たもので、操作ハンドルが内開き位置に配置された状態の図である。
【図１１】図１１は、図１０に示す状態の障子を戸先側から見た図である。
【図１２】図１２は、図１に示した建具において開口枠に対する障子の開閉状態を切り替える機構の要部を室内側から見たもので、操作ハンドルが内開き位置に配置された状態の拡大斜視図である。
【図１３】図１３は、図１０に示す状態から障子が室内側に開いた状態を示す斜視図である。
【図１４】図１４は、図１に示した建具において開口枠に対する障子の開閉状態を切り替える機構を室内側から見たもので、操作ハンドルが内開き位置から内倒し位置へ移行する状態の図である。
【図１５】図１５は、図１４に示す状態の障子を戸先側から見た図である。
【図１６】図１６は、図１に示した建具において開口枠に対する障子の開閉状態を切り替える機構を室内側から見たもので、操作ハンドルが内倒し位置に配置された状態の図である。
【図１７】図１７は、図１６に示す状態の障子を戸先側から見た図である。
【図１８】図１８は、図１６に示す状態から障子が室内側に倒された状態を示す斜視図である。
【図１９】図１９は、図１８に示す状態の障子を戸先側から見た要部拡大図である。
【図２０】図２０は、図６に示したヒンジ装置の枠ヒンジブラケットを枠に取り付けた状態の横断面図である。
【図２１】図２１は、図８に示した枠ヒンジブラケットを枠に取り付けるための構成を示す分解斜視図である。
【図２２】図２２は、図２１に示した枠ヒンジブラケットに裏板を装着した状態の斜視図である。
【図２３】図２３は、図２１に示した枠ヒンジブラケットと裏板との間に外れ止めを装着した状態の斜視図である。
【図２４】図２４は、図８に示したヒンジ装置の框ヒンジブラケットと裏板とを示した分解図である。
【図２５】図２５は、図２４に示した框ヒンジブラケットを框に取り付けた状態の横断面図である。
【図２６】図２６は、図２５に示した框ヒンジブラケットを框に取り付けるための構成を示す分解斜視図である。
【図２７】図２７は、図２５に示した框ヒンジブラケットを框に取り付けるための構成を示す分解斜視図である。
【図２８】図２８は、図２４に示した框ヒンジブラケットに裏板を装着した状態の斜視図である。
【図２９】図２９は、図７に示したヒンジ装置の枠ヒンジブラケットを枠に取り付けるための構成を示す分解斜視図である。
【図３０】図３０は、図２９に示した枠ヒンジブラケットに裏板を装着した状態の斜視図である。
【図３１】図３１は、図２９に示した枠ヒンジブラケットと裏板との間に外れ止めを装着した状態の斜視図である。
【図３２−１】図３２−１は、図７に示したヒンジ装置の框ヒンジブラケットを障子に取り付けるための構成を示すもので、操作ハンドルが施錠位置に配置された状態の平面図である。
【図３２−２】図３２−２は、図７に示したヒンジ装置の框ヒンジブラケットを障子に取り付けるための構成を示すもので、操作ハンドルが施錠位置に配置された状態を破断して示す斜視図である。
【図３３−１】図３３−１は、図７に示したヒンジ装置の框ヒンジブラケットを障子に取り付けるための構成を示すもので、操作ハンドルが内開き位置に配置された状態の平面図である。
【図３３−２】図３３−２は、図７に示したヒンジ装置の框ヒンジブラケットを障子に取り付けるための構成を示すもので、操作ハンドルが内開き位置に配置された状態を破断して示す斜視図である。
【図３４】図３４は、図３３−１に示す状態で框ヒンジブラケットが回転した状態の平面図である。
【図３５−１】図３５−１は、図７に示したヒンジ装置の框ヒンジブラケットを障子に取り付けるための構成を示すもので、操作ハンドルが内倒し位置に配置された状態の平面図である。
【図３５−２】図３５−２は、図７に示したヒンジ装置の框ヒンジブラケットを障子に取り付けるための構成を示すもので、操作ハンドルが内倒し位置に配置された状態を破断して示す斜視図である。
【図３６−１】図３６−１は、図３５−１の状態で框ヒンジブラケットが回転した状態の平面図である。
【図３６−２】図３６−２は、図３５−１の状態で框ヒンジブラケットが回転した状態を破断して示す斜視図である。
【図３７】図３７は、図１に示した建具において開口枠の下端部に設けた障子の開閉状態を切り替える機構の要部を室内側から見た斜視図である。
【図３８】図３８は、図３７に示した機構を戸先側から見た斜視図である。
【図３９】図３９は、図３８に示した機構の分解斜視図である。
【図４０】図４０は、図１に示した建具において操作ハンドルが設けられる中間作動装置の斜視図である。
【図４１】図４１は、図４０に示した中間作動装置の分解斜視図である。
【図４２】図４２は、図４０に示した中間作動装置の横断面図である。
【図４３】図４３は、図１に示した建具に適用するコーナードライブの斜視図である。
【図４４】図４４は、図４３に示したコーナードライブの分解斜視図である。
【図４５】図４５は、図４３に示したコーナードライブの組み立て手順を示すもので（ａ）はケースに帯状部材を配設した状態の分解斜視図、（ｂ）はケースにカバー部材を配設する状態の斜視図である。
【図４６】図４６は、図４３に示したコーナードライブの断面図である。
【図４７】図４７は、図４３に示したコーナードライブの分解断面図である。
【図４８】図４８は、図４６におけるＡ−Ａ線拡大断面図である。
【発明を実施するための形態】
【００１７】
以下、添付図面を参照しながら本発明に係る建具の好適な実施の形態について詳細に説明する。図１〜図５は、本発明の実施の形態である建具を示したものである。ここで例示する建具は、開口枠１０と障子２０とを備え、開口枠１０に対して障子２０が内開き及び内倒しの２通りの状態で室内側に開くように支持したドレーキップ窓と称されるものである。
【００１８】
＜建具の概略構成＞
開口枠１０は、上枠１１、下枠１２及び左右の縦枠１３，１４を四周枠組みすることによって構成したものである。開口枠１０の各枠１１，１２，１３，１４は、アルミニウムやアルミニウム合金等の金属によって成形した押し出し形材であり、それぞれが全長に渡ってほぼ一様な断面形状を有するように構成してある。障子２０は、矩形状を成すガラス板等の面材２１の四周に上框２２、下框２３及び左右の縦框２４，２５を四周框組みすることによって構成したもので、開口枠１０の開口を閉じることのできる大きさに構成してある。障子２０の各框２２，２３，２４，２５についても、枠１１，１２，１３，１４と同様、アルミニウムやアルミニウム合金等の金属によって成形した押し出し形材であり、それぞれが全長に渡ってほぼ一様な断面形状を有するように構成してある。
【００１９】
この建具には、図４において右方に位置する縦枠（以下、「吊元枠１３」という）と障子２０との間の上方部及び下方部にそれぞれヒンジ装置１００，２００が設けてあるとともに、図４において左方に位置する縦枠（以下、「戸先枠１４」という）及び下枠１２と障子２０との間の下方部に施錠装置３００が設けてあり、さらに図４において左方に位置する障子２０の縦框（以下、「戸先框２５」という）に中間作動装置４００が設けてある。尚、図４において右方に位置する縦框については、戸先框２５と区別するため、吊元框２４と称する。
【００２０】
ヒンジ装置１００，２００は、図６〜図８に示すように、それぞれ上下方向に沿ったヒンジ軸１１０，２１０を介して互いに接続した枠ヒンジブラケット１２０，２２０及び框ヒンジブラケット１３０，２３０を有して構成したものである。以下においては、上下２つのヒンジ装置を区別するため、下方に設けたものを下方ヒンジ装置１００と称し、それぞれの構成部品に「下方」という語を付す一方、上方に設けたものを上方ヒンジ装置２００と称し、それぞれの構成部品に「上方」という語を付して説明を行う。
【００２１】
下方ヒンジ装置１００は、図６、図８に示すように、下方枠ヒンジブラケット１２０に対して下方框ヒンジブラケット１３０を下方ヒンジ軸１１０の軸心を中心として回転可能、かつ下方ヒンジ軸１１０の下端部を中心として傾動可能に支持したものである。下方枠ヒンジブラケット１２０は、吊元枠１３の見込み面に取り付けてあり、下方框ヒンジブラケット１３０は、吊元框２４の見込み面に取り付けてある。
【００２２】
上方ヒンジ装置２００は、上方枠ヒンジブラケット２２０に対して上方框ヒンジブラケット２３０を上方ヒンジ軸２１０の軸心を中心として回転可能に支持したものである。上方枠ヒンジブラケット２２０は、吊元枠１３の見込み面に取り付けてあり、上方框ヒンジブラケット２３０は、上方リンク機構２４０を介して上框２２の上面に取り付けてある。上方リンク機構２４０は、図４、図６、図７に示すように、上框２２の上面に固定した框固定ブラケット２４１と上方ヒンジ装置２００の上方枠ヒンジブラケット２２０との間を接続する主リンク２４２と、框固定ブラケット２４１の長手方向にスライド可能に配設したロックリンク２４３とを備えたもので、ロックリンク２４３をスライドさせることにより、主リンク２４２が框固定ブラケット２４１の長手方向に沿った姿勢に維持されたロック状態（図７中の実線で示す状態）と、框固定ブラケット２４１に対して主リンク２４２が旋回可能となるアンロック状態（図７中の二点鎖線で示す状態）とに切り替わるものである。
【００２３】
施錠装置３００は、戸先枠１４と戸先框２５との間の係合状態を切り替えるとともに、戸先框２５と下枠１２との係合状態を切り替えることにより、開口枠１０に対する障子２０の開閉制御を行うものである。本実施の形態では、図４、図５、図９に示すように、ロックピン３１１及び開放防止突起３１２を有した制御ロッド３１０と、ロック受け３２１及び突起受け３２２を有した制御ブロック体３２０と、ロッド挿入孔３３１を有した下部ブロック部材３３０とを備えて施錠装置３００が構成してある。制御ロッド３１０は、ロックピン３１１及び開放防止突起３１２が戸先枠１４の見込み面に向けて突出した状態で、戸先框２５の見込み面に上下方向に沿ってスライド可能に配設してある。制御ブロック体３２０は、ロック受け３２１及び突起受け３２２が戸先框２５の見込み面に向けて突出した状態で、戸先枠１４の見込み面に取り付けてある。下部ブロック部材３３０は、ロッド挿入孔３３１が上方に開口した状態で下枠１２の上面に取り付けてある。
【００２４】
中間作動装置４００は、操作ハンドル４０１の操作によってスライドブロック４１０を動作させ、上方リンク機構２４０のロック状態及びアンロック状態を切り替えるとともに、施錠装置３００の施錠状態を切り替えるものである。操作ハンドル４０１は、戸先框２５の室内側に臨む見付け面に配設してあり、見込み方向に沿った軸心を中心として回転させることが可能である。本実施の形態では、図１中の実線で示すように、操作ハンドル４０１の先端が鉛直下方に向いた位置（以下、「施錠位置」という）から、図１において反時計回りに９０°回転して水平となる位置（以下、「内開き位置」という）を経由し、１８０°回転して先端が鉛直上方に向いた位置（以下、「内倒し位置」という）まで回転することができるように構成してある。スライドブロック４１０は、戸先框２５の見込み面に上下方向に沿って移動可能に配設したもので、図９に示すように、下端部が下方連係部材４０２を介して施錠装置３００の制御ロッド３１０に接続してある。スライドブロック４１０の上端部は、上方連係部材４０３及びコーナードライブ５００を介して上框２２の上面に連続し、さらに上框連係部材４０４を介して上方リンク機構２４０のロックリンク２４３に接続してある。
【００２５】
＜建具の開閉切替操作＞
上記の構成を有する建具では、操作ハンドル４０１を施錠位置に配置した場合、図４、図５に示すように、スライドブロック４１０が戸先框２５に対して最も上方に配置された状態となる。このとき、上方リンク機構２４０は、ロックリンク２４３によってロック状態にあり、主リンク２４２が框固定ブラケット２４１の長手方向に沿った姿勢に維持されている。施錠装置３００の制御ロッド３１０は、下端部が下部ブロック部材３３０のロッド挿入孔３３１から逸脱し、ロックピン３１１がロック受け３２１に対向した位置に配置される一方、開放防止突起３１２が突起受け３２２に対して非対向の位置に配置されている。この状態においては、操作ハンドル４０１を介して障子２０を室内側に引いた場合にもロックピン３１１がロック受け３２１に当接することになるため、障子２０を開くことができない。
【００２６】
上述の状態から操作ハンドル４０１を内開き位置まで回転させると、図１０、図１１に示すように、戸先框２５に対してスライドブロック４１０が下方にスライドし、上方連係部材４０３及び下方連係部材４０２がそれぞれ下方にスライドする。このとき、上方リンク機構２４０においては、コーナードライブ５００を介してロックリンク２４３が戸先側にスライドするものの、依然としてロック状態を維持している。施錠装置３００においては、図１２に示すように、制御ロッド３１０が下方にスライドすることによってロックピン３１１がロック受け３２１に対して非対向の位置に配置される。制御ロッド３１０の下端部は、下部ブロック部材３３０のロッド挿入孔３３１から逸脱し、開放防止突起３１２は、突起受け３２２に対して非対向の位置に維持されている。従って、この状態においては、操作ハンドル４０１を介して障子２０を室内側に引いた場合、戸先框２５を戸先枠１４から離隔させることが可能であり、図１３に示すように、上方ヒンジ装置２００の上方ヒンジ軸２１０及び下方ヒンジ装置１００の下方ヒンジ軸１１０を軸心として障子２０を室内側に開くことができるようになる（障子２０の内開き）。
【００２７】
さらに、図１４、図１５に示す状態を経て、操作ハンドル４０１を内倒し位置まで回転させると、図１６、図１７に示すように、戸先框２５に対してスライドブロック４１０、上方連係部材４０３及び下方連係部材４０２が下方にスライドする。このとき、上方リンク機構２４０においては、ロックリンク２４３が戸先側にスライドすることによってアンロック状態となり、框固定ブラケット２４１に対して主リンク２４２が旋回可能となる。施錠装置３００においては、ロックピン３１１がロック受け３２１に対して非対向の位置に維持され、かつ開放防止突起３１２が突起受け３２２に対して非対向の位置に維持された状態で、制御ロッド３１０の下端部が下部ブロック部材３３０のロッド挿入孔３３１に挿入される。従って、この状態においては、操作ハンドル４０１を介して障子２０を室内側に引いた場合、図１８、図１９に示すように、上框２２を上枠１１から離隔させることが可能であり、下方ヒンジ装置１００における下方ヒンジ軸１１０の下端部及び下部ブロック部材３３０のロッド挿入孔３３１に挿入された制御ロッド３１０の下端部を中心として障子２０を室内側に倒すことができるようになる（障子２０の内倒し）。
【００２８】
＜建具の詳細構成＞
以下、上述した建具の構成要素について、より具体的な説明を行い、併せて本願の特徴部分について詳述する。
【００２９】
（開口枠１０及び障子２０の構成）
図２、図３に示すように、開口枠１０の各枠１１，１２，１３，１４は、室内側に位置する第１枠要素１１Ａ，１２Ａ，１３Ａ，１４Ａと、室外側に位置する第２枠要素１１Ｂ，１２Ｂ，１３Ｂ，１４Ｂとの間に断熱材１１Ｃ，１２Ｃ，１３Ｃ，１４Ｃを介在させたもので、第１枠要素１１Ａ，１２Ａ，１３Ａ，１４Ａに一対の枠側取付片１５が設けてある。枠側取付片１５は、第１枠要素１１Ａ，１２Ａ，１３Ａ，１４Ａにおいて障子２０に対向する見込み面からそれぞれ障子２０に向けて突出し、個々の突出端部が互いに近接する方向に略直角に屈曲したもので、見込み面との間に枠側ガイド溝１６を構成している。
【００３０】
障子２０の各框２２，２３，２４，２５は、開口枠１０と同様、室内側に位置する第１框要素２２Ａ，２３Ａ，２４Ａ，２５Ａと、室外側に位置する第２框要素２２Ｂ，２３Ｂ，２４Ｂ，２５Ｂとの間に断熱材２２Ｃ，２３Ｃ，２４Ｃ，２５Ｃを介在させたもので、第１框要素２２Ａ，２３Ａ，２４Ａ，２５Ａに一対の框側取付片２６が設けてある。框側取付片２６は、第１框要素２２Ａ，２３Ａ，２４Ａ，２５Ａにおいて開口枠１０に対向する見込み面からそれぞれ開口枠１０に向けて突出し、個々の突出端部が互いに近接する方向に略直角に屈曲したもので、見込み面との間に框側ガイド溝２７を構成している。上述した障子２０の上框２２に設けた上框連係部材４０４、戸先框２５に設けた上方連係部材４０３、下方連係部材４０２及び施錠装置３００の制御ロッド３１０は、それぞれ框側ガイド溝２７の内部にスライド可能に配設してある。
【００３１】
（下方ヒンジ装置１００に適用する下方枠ヒンジブラケット１２０の構成）
下方ヒンジ装置１００の下方枠ヒンジブラケット１２０は、図２１〜図２３に示すように、円柱状を成す一対の下方枠軸部１２１と、それぞれの下方枠軸部１２１の周面から外方に延在した後に略直角に屈曲した下方枠取付部１２２とを一体に成形したものである。図８及び図２０に示すように、下方枠ヒンジブラケット１２０は、一対の下方枠軸部１２１が吊元枠１３の室内側に臨む見込み面から室内側に突出した状態で、下方枠取付部１２２と下方枠裏板１４０との間に、室内側に位置する枠側取付片１５の屈曲部１５ａを挟持させることにより、吊元枠１３の見込み面に取り付けてある。
【００３２】
図２１〜図２３に示すように、一対の下方枠軸部１２１は、互いに軸心が合致し、かつ軸心方向に間隔を確保して下方枠取付部１２２の上下に設けてある。下方に配置される下方枠軸部１２１には、その上端面に半球状の球受け凹部１２１ａが設けてある。
【００３３】
下方枠取付部１２２は、吊元枠１３に設けた一対の枠側取付片１５を覆うことのできる大きさに形成したもので、下方枠側ネジ挿通孔１２２ａ及び下方枠側突起挿入孔１２２ｂを有している。下方枠側ネジ挿通孔１２２ａは、下方枠取付部１２２の上下両端部に設けたものであり、下方枠側突起挿入孔１２２ｂは、下方枠側ネジ挿通孔１２２ａの相互間となる部位に形成してある。図２０に示すように、下方枠取付部１２２において吊元枠１３の見込み面に対向する部位には、支持片部１２３が設けてある。支持片部１２３は、下方枠取付部１２２によって吊元枠１３の見込み面を覆った場合に一対の枠側取付片１５の間において吊元枠１３の見込み面に当接するものである。この支持片部１２３には、係合部１２４及び爪部１２５を有している。係合部１２４は、支持片部１２３の室外側に向いた面に形成した凹溝であり、吊元枠１３の見込み面を覆った場合に室外側に位置する枠側取付片１５の屈曲部１５ａが係合された状態となる。爪部１２５は、支持片部１２３の先端部から室内側に向けて突出した部分である。
【００３４】
下方枠裏板１４０は、下方枠ヒンジブラケット１２０の下方枠取付部１２２と吊元枠１３の見込み面との間に介在し、かつ室内側に位置する枠側取付片１５の枠側ガイド溝１６に挿入される下方枠挟持部１４１を有したものである。この下方枠裏板１４０には、図２１に示すように、下方枠位置決め突起１４２、下方枠ネジ締め孔１４３及び下方枠裏板突起１４４が設けてある。下方枠位置決め突起１４２は、下方枠取付部１２２の端面に当接するもので、下方枠裏板１４０の上下両端部に形成してある。下方枠ネジ締め孔１４３は、下方枠取付部１２２に重ね合わせた場合に下方枠取付部１２２の下方枠側ネジ挿通孔１２２ａに対応する部位に形成した雌ネジ孔である。下方枠裏板突起１４４は、下方枠取付部１２２に重ね合わせた場合に下方枠取付部１２２の下方枠側突起挿入孔１２２ｂに嵌合し、下方枠取付部１２２と下方枠裏板１４０との相対移動を制限するものである。
【００３５】
上述した下方ヒンジ装置１００の下方枠ヒンジブラケット１２０を吊元枠１３に取り付けるには、図２０に示すように、室外側に位置する枠側取付片１５の屈曲部１５ａを支持片部１２３の係合部１２４に係合するとともに、下方枠裏板１４０の下方枠挟持部１４１を室内側に位置する枠側取付片１５の枠側ガイド溝１６に配置した状態で、下方枠側ネジ挿通孔１２２ａを介して下方枠裏板１４０の下方枠ネジ締め孔１４３に取付ネジ１５０を螺合し、さらに下方枠裏板１４０と室外側に位置する枠側取付片１５との隙間に外れ止め１６０を挿入すれば良い。外れ止め１６０は、長手方向の中央部分が枠側取付片１５と下方枠裏板１４０とに当接することのできる断面形状を有したもので、樹脂材によって成形してある。上述の下方枠取付部１２２に設けた支持片部１２３の爪部１２５は、外れ止め１６０と吊元枠１３の見込み面との間に介在した状態にある。外れ止め１６０の基端部には、挿入操作を容易化するため、幅広で薄板状を成す把持部１６１が形成してある。外れ止め１６０の先端部には、枠側取付片１５と下方枠裏板１４０との間の隙間よりも断面積の小さい挿入ガイド部１６２が形成してある。挿入ガイド部１６２の先端部には、外表面に膨出した係止部１６３が設けてある。この係止部１６３は、下方枠裏板１４０に形成した係止凹部１４５に係合することによって下方枠ヒンジブラケット１２０からの外れ止め１６０の不用意な脱落を阻止するものである。
【００３６】
上記のようにして下方ヒンジ装置１００の下方枠ヒンジブラケット１２０を取り付けた場合には、吊元枠１３に取付ネジを挿通するための孔を形成する必要がないため、建具の水密性を確保する上で有利となる。しかも、万が一、取付ネジ１５０が緩んだ場合にも、外れ止め１６０によって室内側の枠側取付片１５から下方枠裏板１４０の離隔移動が規制され、下方枠ヒンジブラケット１２０と下方枠裏板１４０との間に枠側取付片１５の屈曲部１５ａを挟持した状態が維持されることになり、吊元枠１３から下方枠ヒンジブラケット１２０が脱落する事態を防止することができる。
【００３７】
また、上記のようにして取り付けられた下方枠ヒンジブラケット１２０では、下方枠裏板１４０の下方枠裏板突起１４４が下方枠取付部１２２の下方枠側突起挿入孔１２２ｂに嵌合された状態にあるとともに、支持片部１２３の先端部が吊元枠１３の見込み面に当接した状態ある。従って、下方枠ヒンジブラケット１２０に対して、図２０中の矢印Ａで示すような外力が加えられた場合にも、吊元枠１３に対する下方枠ヒンジブラケット１２０の相対移動が抑制され、容易に脱落するおそれがない。
【００３８】
（下方ヒンジ装置１００に適用する下方框ヒンジブラケット１３０の構成）
下方ヒンジ装置１００の下方框ヒンジブラケット１３０は、図２４、図２６、図２７、図２８に示すように、円筒状を成す下方框軸部１３１と、下方框軸部１３１の周面から外方に延在した後に略直角に屈曲した下方框取付部１３２とを一体に成形したものである。図８及び図２５に示すように、下方框ヒンジブラケット１３０は、下方框軸部１３１が室内側に臨む見付け面よりも室内側に突出した状態で、下方框取付部１３２と下方框裏板１７０との間に一対の框側取付片２６の屈曲部２６ａを挟持させることにより、吊元框２４の見込み面に取り付けてある。
【００３９】
図２６〜図２８に示すように、下方框軸部１３１は、軸心方向に沿った長さが、下方枠ヒンジブラケット１２０に設けた一対の下方枠軸部１２１の間に配置することできる寸法に形成してある。下方ヒンジ軸１１０は、下端部に球状部１１１を有した円柱状を成すもので、球状部１１１を外部に露出させた状態で、上端部を介して下方框ヒンジブラケット１３０の下方框軸部１３１に固定してある。下方ヒンジ軸１１０の球状部１１１は、下方枠軸部１２１の球受け凹部１２１ａに転動可能に収容することのできる寸法に形成したものである。
【００４０】
下方框取付部１３２は、吊元框２４に設けた一対の框側取付片２６を覆うことのできる大きさに形成したもので、下方框側ネジ挿通孔１３２ａ、下方框側突起挿入孔１３２ｂ及び一対の挿入部１３２ｃを有している。下方框側ネジ挿通孔１３２ａは、下方框取付部１３２の上下両端部に設けたものであり、下方框側突起挿入孔１３２ｂは、下方框側ネジ挿通孔１３２ａの相互間となる部位に形成してある。挿入部１３２ｃは、図２４、図２６、図２７、図２８に示すように、下方框取付部１３２において一対の框側取付片２６に対向する面から突出した後、互いに離隔する方向に屈曲したものである。これら挿入部１３２ｃは、図２５に示すように、屈曲した部分をそれぞれ框側取付片２６の框側ガイド溝２７に配置することにより、一対の框側取付片２６の間に挿入することが可能である。図２５からも明らかなように、一対の挿入部１３２ｃは、下方框取付部１３２を框側取付片２６に当接させた場合、框側取付片２６の屈曲部２６ａ及び吊元框２４の見込み面の双方から離隔した位置に配置されるように構成してある。
【００４１】
下方框裏板１７０は、図２５に示すように、框側取付片２６の框側ガイド溝２７に挿入される下方框挟持部１７１と、下方框挟持部１７１の一端部から直角となる方向に突出した障子受部１７２とを一体に成形したものである。下方框挟持部１７１には、下方框取付部１３２に設けた挿入部１３２ｃに対応する部位に切欠１７３が設けてある。
【００４２】
この下方框裏板１７０には、図２６に示すように、下方框ネジ締め孔１７１ａ及び下方框裏板突起１７１ｂが設けてある。下方框ネジ締め孔１７１ａは、下方框取付部１３２に重ね合わせた場合に下方框取付部１３２の下方框側ネジ挿通孔１３２ａに対応する部位に形成した雌ネジ孔である。下方框裏板突起１７１ｂは、下方框取付部１３２に重ね合わせた場合に下方框取付部１３２の下方框側突起挿入孔１３２ｂに嵌合し、下方框取付部１３２と下方框裏板１７０との相対移動を制限するものである。下方框裏板突起１７１ｂには、その中心部に保持用ネジ孔１７１ｃが設けてある。保持用ネジ孔１７１ｃは、下方框裏板１７０を貫通するように設けてあり、その内部に裏板保持用ネジ１８０が螺合してある。裏板保持用ネジ１８０は、下方框取付部１３２の下方框側突起挿入孔１３２ｂを介して締め込む方向に操作した場合に、下方框裏板１７０から吊元框２４の見込み面に向けて突出することが可能である。
【００４３】
上述した下方ヒンジ装置１００の下方框ヒンジブラケット１３０を吊元框２４に取り付けるには、下方框ネジ締め孔１７１ａに取付ネジ１８１をわずかに螺合させることにより、予め下方框裏板１７０を重ね合わせ、吊元框２４の端面から下方框挟持部１７１及び挿入部１３２ｃを框側取付片２６の框側ガイド溝２７に挿入し、障子受部１７２が吊元框２４の端面に当接した状態で取付ネジ１８１を締め付ければ良い。この状態においては、吊元框２４に設けた框側取付片２６の屈曲部２６ａが下方框ヒンジブラケット１３０と下方框裏板１７０の下方框挟持部１７１との間に挟持され、下方框ヒンジブラケット１３０が吊元框２４に保持されることになる。
【００４４】
上記のようにして下方ヒンジ装置１００の下方框ヒンジブラケット１３０を取り付けた場合には、吊元框２４に取付ネジを挿通するための孔を形成する必要がないため、建具の水密性を確保する上で有利となる。しかも、万が一、取付ネジ１８１が緩んだ場合にも、下方框ヒンジブラケット１３０の挿入部１３２ｃが吊元框２４の框側ガイド溝２７に挿入されているため、挿入部１３２ｃが框側取付片２６の屈曲部２６ａに係合された状態を維持することになる。この結果、下方框ヒンジブラケット１３０が下方框裏板１７０から離隔することがなく、障子２０が脱落するおそれがない。これにより、下方框ヒンジブラケット１３０の着脱作業を容易化することが可能となる。
【００４５】
また、上記のようにして取り付けられた下方框ヒンジブラケット１３０では、下方框裏板１７０の下方框裏板突起１７１ｂが下方框取付部１３２の下方框側突起挿入孔１３２ｂに嵌合された状態にある。従って、下方框ヒンジブラケット１３０に対して、外力が加えられた場合にも、上述した挿入部１３２ｃが框側取付片２６の屈曲部２６ａに係合することに加えて吊元框２４に対する下方框ヒンジブラケット１３０の相対移動が抑制され、容易に脱落するおそれがない。
【００４６】
さらに、裏板保持用ネジ１８０を螺合させた場合には、下方框ヒンジブラケット１３０との間に取付ネジ１８１を螺合させる以前においても下方框裏板１７０の下方框挟持部１７１を框側取付片２６の屈曲部２６ａに押圧させることで吊元框２４に対する下方框裏板１７０の相対移動を制限し、位置ずれを防止することができる。
【００４７】
（下方ヒンジ装置１００の動作）
上述の構成を有する下方ヒンジ装置１００では、下方ヒンジ軸１１０の球状部１１１を下方枠軸部１２１の球受け凹部１２１ａに収容させることにより、下方枠ヒンジブラケット１２０に対して下方框ヒンジブラケット１３０を上下方向に沿った軸心を中心として回転可能、かつ下方ヒンジ軸１１０の下端部を中心として傾動可能に支持することが可能となる。
【００４８】
（上方ヒンジ装置２００に適用する上方枠ヒンジブラケット２２０の構成）
上方ヒンジ装置２００の上方枠ヒンジブラケット２２０は、図２９、図３０、図３１に示すように、円筒状を成す上方枠軸部２２１と、上方枠軸部２２１の周面から外方に延在した後に略直角に屈曲した上方枠取付部２２２とを一体に成形したものである。図７及び図２０に示すように、上方枠ヒンジブラケット２２０は、上方枠軸部２２１が吊元枠１３の室内側に臨む見込み面から室内側に突出した状態で、上方枠取付部２２２と上方枠裏板２５０との間に、室内側に位置する枠側取付片１５の屈曲部１５ａを挟持させることにより、上方枠軸部２２１の軸心が下方枠軸部１２１の軸心と合致した状態で、吊元枠１３の見込み面に取り付けてある。
【００４９】
上方ヒンジ軸２１０は、円柱状を成すもので、上端部が外部に露出した状態で、下端部を介して上方枠ヒンジブラケット２２０の上方枠軸部２２１に固定してある。
【００５０】
上方枠取付部２２２は、吊元枠１３に設けた一対の枠側取付片１５を覆うことのできる大きさに形成したもので、上方枠側ネジ挿通孔２２２ａ及び上方枠側突起挿入孔２２２ｂを有している。上方枠側ネジ挿通孔２２２ａは、上方枠取付部２２２の上下両端部に設けたものであり、上方枠側突起挿入孔２２２ｂは、上方枠側ネジ挿通孔２２２ａの相互間となる部位に形成してある。図２０に示すように、上方枠取付部２２２において吊元枠１３の見込み面に対向する部位には、支持片部２２３が設けてある。支持片部２２３は、上方枠取付部２２２によって吊元枠１３の見込み面を覆った場合に一対の枠側取付片１５の間において吊元枠１３の見込み面に当接するもので、係合部２２４及び爪部２２５を有している。係合部２２４は、支持片部２２３の室外側に向いた面に形成した凹溝であり、吊元枠１３の見込み面を覆った場合に室外側に位置する枠側取付片１５の屈曲部１５ａが係合された状態となる。爪部２２５は、支持片部２２３の先端部から室内側に向けて突出した部分である。
【００５１】
上方枠裏板２５０は、図２０に示すように、上方枠ヒンジブラケット２２０の上方枠取付部２２２と吊元枠１３の見込み面との間に介在し、かつ室内側に位置する枠側取付片１５の枠側ガイド溝１６に挿入される上方枠挟持部２５１を有したものである。この上方枠裏板２５０には、図２９に示すように、上方枠位置決め突起２５２、上方枠ネジ締め孔２５３及び上方枠裏板突起２５４が設けてある。上方枠位置決め突起２５２は、上方枠取付部２２２の端面に当接するもので、上方枠裏板２５０の上下両端部に形成してある。上方枠ネジ締め孔２５３は、上方枠取付部２２２に重ね合わせた場合に上方枠取付部２２２の上方枠側ネジ挿通孔２２２ａに対応する部位に形成した雌ネジ孔である。上方枠裏板突起２５４は、上方枠取付部２２２に重ね合わせた場合に上方枠取付部２２２の上方枠側突起挿入孔２２２ｂに嵌合し、上方枠取付部２２２と上方枠裏板２５０との相対移動を制限するものである。
【００５２】
上述した上方ヒンジ装置２００の上方枠ヒンジブラケット２２０を吊元枠１３に取り付けるには、図２０に示すように、室外側に位置する枠側取付片１５の屈曲部１５ａを支持片部２２３の係合部２２４に係合するとともに、上方枠裏板２５０の上方枠挟持部２５１を室内側に位置する枠側取付片１５の枠側ガイド溝１６に配置した状態でそれぞれの上方枠側ネジ挿通孔２２２ａを介して上方枠裏板２５０の上方枠ネジ締め孔２５３に取付ネジ２６０を螺合し、さらに上方枠裏板２５０と室外側に位置する枠側取付片１５との隙間に外れ止め１６０を挿入すれば良い。外れ止め１６０は、下方ヒンジ装置１００の下方枠ヒンジブラケット１２０に用いたものと同一の構成を有したものである。
【００５３】
上記のようにして上方ヒンジ装置２００の上方枠ヒンジブラケット２２０を取り付けた場合には、吊元枠１３に取付ネジを挿通するための孔を形成する必要がないため、建具の水密性を確保する上で有利となる。しかも、万が一、取付ネジ２６０が緩んだ場合にも、外れ止め１６０によって室内側の枠側取付片１５から上方枠裏板２５０の離隔移動が規制され、上方枠ヒンジブラケット２２０と裏板との間に枠側取付片１５の屈曲部１５ａを挟持した状態が維持されることになり、吊元枠１３から上方枠ヒンジブラケット２２０が脱落する事態を防止することができる。
【００５４】
また、上記のようにして取り付けられた上方枠ヒンジブラケット２２０では、上方枠裏板２５０の上方枠裏板突起２５４が上方枠取付部２２２の上方枠側突起挿入孔２２２ｂに嵌合された状態にあるとともに、支持片部２２３の先端部が吊元枠１３の見込み面に当接した状態ある。従って、上方枠ヒンジブラケット２２０に対して、図２０中の矢印Ａで示すような外力が加えられた場合にも、吊元枠１３に対する上方枠ヒンジブラケット２２０の相対移動が抑制され、容易に脱落するおそれがない。
【００５５】
（上方ヒンジ装置２００に適用する上方框ヒンジブラケット２３０の構成）
上方ヒンジ装置２００の上方框ヒンジブラケット２３０は、図６、図７に示すように、円筒状を成す上方框軸部２３１と、上方框軸部２３１の周面から外方に延在した上方框取付部２３２とを有したものである。この上方框ヒンジブラケット２３０は、上方框軸部２３１を介して上方ヒンジ軸２１０の上端部に配設してあり、軸心方向の移動が規制された状態で上方ヒンジ軸２１０の軸心を中心として回転することが可能である。
【００５６】
（上方ヒンジ装置２００に適用する上方リンク機構２４０の構成）
上方リンク機構２４０の主リンク２４２は、図６、図７、図３２−１〜図３６−２に示すように、長尺の薄板状を成すもので、基端部を介して上方框取付部２３２に連結してある。主リンク２４２を上方框取付部２３２に連結する方法としては、かしめもしくはネジ止めによるものである。主リンク２４２の先端部には、先端側からスライドピン２４２ａ、支持リンクピン２４２ｂ及びリンクロックピン２４２ｃが設けてある。これらのスライドピン２４２ａ、支持リンクピン２４２ｂ及びリンクロックピン２４２ｃは、それぞれ上下方向に沿って延在するもので、主リンク２４２の下面から下方に向けて突出している。主リンク２４２の支持リンクピン２４２ｂには、補助リンク２４４が設けてある。補助リンク２４４は、主リンク２４２よりも短い寸法の薄板状を成すもので、基端部を介して支持リンクピン２４２ｂの軸心回りに回転可能に支持してある。補助リンク２４４の先端部には、補助リンクピン２４４ａが設けてある。補助リンクピン２４４ａは、支持リンクピン２４２ｂと平行となるように延在するもので、補助リンク２４４の下面から下方に向けて突出している。
【００５７】
框固定ブラケット２４１は、主リンク２４２よりも短い寸法を有し、先端部に長手方向に沿ったスライド孔２４１ａを有する厚板部材であり、上框２２の長手方向に沿った状態で上框２２の上面に固定してある。この框固定ブラケット２４１には、補助リンクピン２４４ａにより補助リンク２４４が回転可能に支持してあるとともに、スライド孔２４１ａに主リンク２４２のスライドピン２４２ａがスライド可能に収容してある。
【００５８】
框固定ブラケット２４１のスライド孔２４１ａには、係合クリップ２４５が配設してある。係合クリップ２４５は、基端部が湾曲し、かつ先端部が開放した略Ｕ字状を成すもので、Ｕ字状の基端部がスライド孔２４１ａの吊元側に位置した状態で框固定ブラケット２４１に取り付けてある。この係合クリップ２４５には、狭幅部２４５ａが設けてある。狭幅部２４５ａは、係合クリップ２４５の基端部側に位置する部分を互いに内方に向けて屈曲することによって幅を狭く構成したものである。係合クリップ２４５を備えたスライド孔２４１ａにおいては、スライドピン２４２ａが係合クリップ２４５の狭幅部２４５ａを通過する際に係合クリップ２４５の弾性力に抗して狭幅部２４５ａを押し広げる必要があるため、スライドピン２４２ａのスライドを規制することができる。本実施の形態では、スライドピン２４２ａがスライド孔２４１ａの吊元側端部に位置した場合にスライドピン２４２ａの戸先側への移動を規制するように係合クリップ２４５が設けてある。
【００５９】
ロックリンク２４３は、主リンク２４２と同等の長さを有した長尺の薄板状部材であり、框固定ブラケット２４１の長手方向に沿ってのみスライド可能となる状態で框固定ブラケット２４１の下面に支持してある。このロックリンク２４３には、吊元側の端部にピンホルダ２４６が設けてある。ピンホルダ２４６は、先端及び上面に開口するピン受溝２４６ａを有したものである。
【００６０】
ロックリンク２４３と主リンク２４２とが互いに同一方向に沿って配置された状態からロックリンク２４３が吊元側にスライドした場合には、図３２−１及び図３２−２に示すように、主リンク２４２のリンクロックピン２４２ｃがピンホルダ２４６のピン受溝２４６ａに収容されるため、ロックリンク２４３を介して框固定ブラケット２４１が主リンク２４２に沿った姿勢を維持することになる（ロック状態）。
【００６１】
これに対してロックリンク２４３が戸先側にスライドした場合には、図３５−１及び図３５−２に示すように、主リンク２４２のリンクロックピン２４２ｃがピンホルダ２４６のピン受溝２４６ａから逸脱するため、図３６−１及び図３６−２に示すように、主リンク２４２のスライドピン２４２ａを中心として主リンク２４２と框固定ブラケット２４１とが相対的に回転可能となる（アンロック状態）。このとき、主リンク２４２と框固定ブラケット２４１との間に介在する補助リンク２４４の作用により、スライドピン２４２ａがスライド孔２４１ａを基端部分に向けてスライドし、やがて係合クリップ２４５の狭幅部２４５ａを押し広げながら通過する。従って、係合クリップ２４５の弾性力に抗する操作力を付与しない限り、スライドピン２４２ａがスライド孔２４１ａの基端部分に保持された状態を維持することになる。
【００６２】
（上方ヒンジ装置２００の動作）
上述の構成を有する上方ヒンジ装置２００では、操作ハンドル４０１が施錠位置、内開き位置、内開き位置と内倒し位置との中間位置に配置されている場合、主リンク２４２のリンクロックピン２４２ｃがピンホルダ２４６のピン受溝２４６ａに収容されることになる。この状態においては、主リンク２４２に対して框固定ブラケット２４１が相対回転できないため、上方ヒンジ軸２１０に対して上方框取付部２３２が回転した場合、図３４に示すように、障子２０の上框２２に取り付けた框固定ブラケット２４１が主リンク２４２とともに、上方ヒンジ軸２１０を中心として回転することになり、障子２０の内開きが可能となる。
【００６３】
一方、操作ハンドル４０１が内倒し位置に配置されると、主リンク２４２のリンクロックピン２４２ｃがピンホルダ２４６のピン受溝２４６ａから逸脱する。この状態においては、主リンク２４２に対して框固定ブラケット２４１が相対回転可能であるため、上方ヒンジ軸２１０に対して上方框取付部２３２が回転した場合、図３６−１及び図３６−２に示すように、主リンク２４２に対して框固定ブラケット２４１が適宜回転し、上枠１１に対して上框２２を平行移動させることができ、障子２０の内倒しが可能となる。
【００６４】
（施錠装置３００の構成）
施錠装置３００の制御ロッド３１０は、図９に示すように、戸先框２５に設けた上方連係部材４０３や下方連係部材４０２とほぼ同じ断面に形成した長尺部材であり、その下端部に挿入傾動突起３１３を有している。挿入傾動突起３１３は、下部ブロック部材３３０に設けたロッド挿入孔３３１に挿入可能、かつ上下両端部の見込み方向に沿った幅が中央部分よりも狭い幅に形成したものであり、下部ブロック部材３３０のロッド挿入孔３３１に挿入した状態で上端部を室内側に傾けることが可能である。
【００６５】
制御ロッド３１０に設けたロックピン３１１は、水平方向に沿った円柱状を成すものである。開放防止突起３１２は、水平方向に沿って延在する突出部であり、挿入傾動突起３１３とロックピン３１１との中間部に設けてある。
【００６６】
下部ブロック部材３３０は、図３７〜図３９に示すように、上端面の両端部にそれぞれロッド挿入孔３３１を有した直方体状を成すもので、一方の端面を戸先枠１４の見込み面に当接し、かつ一方のロッド挿入孔３３１を制御ロッド３１０の下方延長域に配置した状態で下枠１２の上面に固定してある。この下部ブロック部材３３０は、操作ハンドル４０１を内倒し位置に配置した場合にのみ挿入傾動突起３１３がロッド挿入孔３３１に挿入されるように予めその高さが設定してある。図４中の符号３４０は、下框２３の下面から下方に向けて突出した摺動ブロックである。この摺動ブロック３４０は、障子２０を閉めた場合に下部ブロック部材３３０の上面に当接することのできるように構成してある。
【００６７】
制御ブロック体３２０は、図３７〜図３９に示すように、互いに個別に成形した上部ブロック部材３２０Ａ及び中間ブロック部材３２０Ｂを備えて構成したものである。上部ブロック部材３２０Ａにはロック受け３２１が設けてあり、中間ブロック部材３２０Ｂには突起受け３２２が設けてある。上部ブロック部材３２０Ａのロック受け３２１及び中間ブロック部材３２０Ｂの突起受け３２２は、それぞれ吊元枠１３に向けて突出したものである。
【００６８】
ロック受け３２１は、障子２０を閉めた状態で操作ハンドル４０１が施錠位置に配置された場合に制御ロッド３１０のロックピン３１１に対向する高さとなり、かつ操作ハンドル４０１が内開き位置及び内倒し位置に配置された場合にはロックピン３１１と非対向の高さとなる位置に配設してある。
【００６９】
突起受け３２２は、障子２０を閉めた状態で操作ハンドル４０１が施錠位置及び内開き位置に配置された場合に制御ロッド３１０の開放防止突起３１２よりも下方に位置して非対向となり、かつ操作ハンドル４０１が内倒し位置に配置された場合に開放防止突起３１２よりも上方に位置して非対向の高さとなる位置に配置してある。操作ハンドル４０１が内開き位置から内倒し位置まで移動する間においては、突起受け３２２が開放防止突起３１２に対向する高さに配置されることになる。従って、操作ハンドル４０１が内開き位置と内倒し位置との間に配置されている間においては、開口枠１０に対する障子２０の室内側への移動が阻止されるため、障子２０が室内側に脱落する事態を招来するおそれがない。
【００７０】
さらに、本実施の形態の施錠装置３００では、図１８、図１９に示すように、障子２０を室内側に倒した場合、中間ブロック部材３２０Ｂの突起受け３２２が制御ロッド３１０の開放防止突起３１２に対して上方に近接して位置するように構成してある。従って、障子２０を室内側に倒した状態においては、開口枠１０に対する障子２０の上方への移動が制限されることになり、障子２０が脱落する事態を招来するおそれがない。
【００７１】
図３８、図３９に示すように、本実施の形態では、中間ブロック部材３２０Ｂの上下両端部にそれぞれ当接ロッド部３２３を設けるようにしており、当接ロッド部３２３の端面を下部ブロック部材３３０の上面及び上部ブロック部材３２０Ａの下面にそれぞれ当接させた状態で中間ブロック部材３２０Ｂ及び上部ブロック部材３２０Ａがそれぞれ戸先枠１４の見込み面に取り付けてある。下方の当接ロッド部３２３は、下部ブロック部材３３０の上面に当接させた場合に、中間ブロック部材３２０Ｂに設けた突起受け３２２の高さが上述した条件を満足するようにその長さが設定してある。上方の当接ロッド部３２３は、上部ブロック部材３２０Ａの下面に当接させた場合に、上部ブロック部材３２０Ａに設けたロック受け３２１の高さが上述した条件を満足するようにその長さが設定してある。
【００７２】
上述の施錠装置３００によれば、下部ブロック部材３３０の上面に中間ブロック部材３２０Ｂ及び上部ブロック部材３２０Ａを順次積み重ねることにより、制御ロッド３１０のロックピン３１１及び開放防止突起３１２に対してロック受け３２１及び突起受け３２２の高さ位置を正確に規定することができ、建具の組立作業を煩雑化することなく、障子２０の円滑な開閉操作を保証することが可能となる。
【００７３】
しかも、上部ブロック部材３２０Ａ及び中間ブロック部材３２０Ｂによって制御ブロック体３２０を構成しているため、制御ブロック体３２０を取り付ける位置が左右で逆となる勝手違いの障子２０に対して上部ブロック部材３２０Ａ及び中間ブロック部材３２０Ｂの共用化を図ることが可能となる。
【００７４】
尚、図４に示すように、本実施の形態においては、戸先框２５の長手方向に沿って配置されるコーナードライブ５００に補助ロックピン３１１Ｓを設ける一方、戸先枠１４において補助ロックピン３１１Ｓに対応する部位に補助ロック受け３２１Ｓを有した補助ブロック部材３２０Ｓを設けるようにしている。これら補助ロックピン３１１Ｓ及び補助ロック部材は、制御ロッド３１０のロックピン３１１及び上部ブロック部材３２０Ａのロック受け３２１と同様、操作ハンドル４０１が施錠位置に配置された場合にのみ互いに対向する高さとなるように構成したものである。
【００７５】
（中間作動装置４００の構成）
中間作動装置４００のスライドブロック４１０は、図４０〜図４２に示すように、装置本体４２０に対してスライド可能に配設したもので、ブロック本体４１１とラック部材４１２とを備えて構成してある。ブロック本体４１１は、厚板のブロック状を成すもので、装置本体４２０の外部に現れるものである。本実施の形態では、外観品質を考慮して、亜鉛合金によってブロック本体４１１を成形するようにしている。このブロック本体４１１には、室内側に位置する側縁部の３箇所にトリガ係合溝４１１ａ，４１１ｂ，４１１ｃが設けてある。ラック部材４１２は、長手方向に沿って複数の噛み合い孔４１２ａを設けた薄板状部材であり、ブロック本体４１１において装置本体４２０に対向する面にかしめて固定してある。本実施の形態では、ステンレス鋼等、ブロック本体４１１よりも強度及び耐摩耗性の高い金属によってラック部材４１２を構成している。装置本体４２０は、室外側に配置される本体基部４２１と、室内側に配置される本体蓋部４２２とを互いに連結することによって構成したもので、ラック溝４２３、ピニオン収容部４２４及びトリガ収容部４２５を有している。
【００７６】
ラック溝４２３は、装置本体４２０の一側面に形成した溝状の凹部であり、両端が開口している。このラック溝４２３は、図４２に示すように、内底面４２３ａに近接した部分が幅の広い逆Ｔ字状の断面を有するもので、その内部にスライドブロック４１０をスライド可能に支持している。
【００７７】
ピニオン収容部４２４は、図４１に示すように、ラック溝４２３の長手方向に直交する軸を中心として装置本体４２０の内部に設けた円柱状の空所であり、外周部の一部がラック溝４２３の中央部に連通するように形成してある。ピニオン収容部４２４において円柱の中心となる部分には、装置本体４２０の両端面に貫通するようにハンドル挿入孔４２４ａが形成してある。このピニオン収容部４２４には、ピニオン４３０が収容してある。ピニオン４３０は、中心部に矩形の装着孔４３１を有するとともに、外周に複数の歯部４３２を有したもので、歯部４３２をスライドブロック４１０の噛み合い孔４１２ａに歯合させ、かつハンドル挿入孔４２４ａを介して装着孔４３１を装置本体４２０の外部に露出させた状態で、ピニオン収容部４２４の内部に回転可能に配設してある。
【００７８】
トリガ収容部４２５は、図４１、図４２に示すように、ラック溝４２３とピニオン収容部４２４との間に形成した凹所であり、本体蓋部４２２に設けたラック溝４２３の側面に開口している。このトリガ収容部４２５には、トリガ部材４４０が収容してある。トリガ部材４４０は、ラック溝４２３の長手方向に沿って延在するトリガ本体４４１と、トリガ本体４４１において室外側に位置する両隅部から吊元側に向けて突出した一対のバネ受部４４２と、トリガ本体４４１の室内側に位置する縁部の中央部から戸先側に向けて突出した係合片部４４３とを有したもので、係合片部４４３を外部に露出した状態でトリガ収容部４２５に配設してある。図４２に示すように、トリガ収容部４２５において本体蓋部４２２とトリガ部材４４０のバネ受部４４２との間には、それぞれトリガバネ４４４が設けてある。トリガバネ４４４は、装置本体４２０に対してトリガ部材４４０を常時室外側に付勢し、装置本体４２０の外部に露出した係合片部４４３をスライドブロック４１０の側縁部に押圧するものである。
【００７９】
図４２の（ａ）からも明らかなように、トリガ部材４４０の係合片部４４３は、スライドブロック４１０よりも突出した状態にある。従って、障子２０を閉じた状態においては、図４２の（ｂ）に示すように、戸先枠１４に当接することにより、トリガバネ４４４の押圧力に抗して室内側に移動し、スライドブロック４１０の側縁部から離隔することになる。
【００８０】
上述の構成を有した中間作動装置４００は、図１３、図１４に示すように、スライドブロック４１０が戸先框２５の見込み面において上下方向に沿い、かつ装置本体４２０を戸先框２５の内部に収容させた状態で戸先框２５に取り付けてある。この中間作動装置４００では、装置本体４２０に対してスライドブロック４１０を最も上方に配置し、スライドブロック４１０の最も下方のトリガ係合溝４１１ａにトリガ部材４４０の係合片部４４３が係合した状態が施錠位置となり、操作ハンドル４０１の先端が鉛直下方に向いた状態でピニオン４３０の装着孔４３１に操作ハンドル４０１の基端部が装着されることになる。
【００８１】
トリガ部材４４０の係合片部４４３との係合状態を解除して操作ハンドル４０１を内開き位置に配置した場合には、スライドブロック４１０が下方にスライドするため、係合片部４４３が中央のトリガ係合溝４１１ｂに係合可能となり、さらに操作ハンドル４０１を内倒し位置に配置した場合には、スライドブロック４１０がさらに下方にスライドし、係合片部４４３が最も上方のトリガ係合溝４１１ｃに係合可能となる。
【００８２】
上述した中間作動装置４００によれば、障子２０が開いた場合、トリガ部材４４０の係合片部４４３がトリガ係合溝４１１ａ，４１１ｂ，４１１ｃに係合することにより、装置本体４２０に対するスライドブロック４１０の移動が制限されるため、操作ハンドル４０１を操作することができない。従って、障子２０が開いた状態では、開口枠１０と障子２０との間に設けた上方リンク機構２４０のロック／アンロック状態及び施錠装置３００の施錠状態が不用意に切り替わることがないため、操作ハンドル４０１を内開き位置で開いた障子２０をそのまま確実に閉じることができ、かつ操作ハンドル４０１を内倒し位置で倒した障子２０をそのまま確実に閉じることができる。
【００８３】
また、障子２０を開いた際に外部に露出するスライドブロック４１０については、ブロック本体４１１を亜鉛合金で成形しているため、外観品質の点で有利となる。しかも、ピニオン４３０に歯合するラック部材４１２については、強度及び耐摩耗性の高い金属によって成形してあるため、使用が長期にわたった場合にも中間作動装置４００を確実に動作させることが可能である。
【００８４】
（コーナードライブ５００の構成）
コーナードライブ５００は、図４３〜図４７に示すように、ケース５１０の内部に帯状部材５２０をスライド可能に配設することによって構成したものである。
【００８５】
帯状部材５２０は、可撓性を有した金属製の薄板部材を複数枚重ね合わせて構成したもので、全長にわたってほぼ一様な幅を有している。帯状部材５２０の両端部には、それぞれスライダ５２１，５２２が連結してある。スライダ５２１，５２２は、複数の薄板部材をかしめる機能を有するとともに、上方連係部材４０３及び上框連係部材４０４との連結部になるものである。本実施の形態では、中間作動装置４００のスライドブロック４１０と同様、スライダ５２１，５２２を亜鉛合金によって成形するようにしている。
【００８６】
帯状部材５２０の一方の端部に連結した上部連結スライダ５２１は、ブロック状を成す基部５２１ａに連結ピン５２１ｂを備えたものである。図４４からも明らかなように、上部連結スライダ５２１の基部５２１ａは、帯状部材５２０の一方の端部に形成した２つのかしめ孔を覆うだけの寸法を有し、かつ帯状部材５２０よりもわずかに小さい幅に形成したもので、帯状部材５２０から外部に突出しない状態で一方の端部に取り付けてある。
【００８７】
帯状部材５２０の他方の端部に連結した下部連結スライダ５２２は、ガイド挿入部５２２ａ及びスライドガイド部５２２ｂを一体に成形したものである。ガイド挿入部５２２ａは、帯状部材５２０よりわずかに小さい幅を有した角柱状を成すもので、帯状部材５２０の他方の端部から長手方向に突出した状態で帯状部材５２０に取り付けてある。スライドガイド部５２２ｂは、上方連係部材４０３と同様の断面形状を有するように構成したものである。
【００８８】
ケース５１０は、図４６、図４７に示すように、取付対象となる障子２０の戸先框２５に沿って延在する側方ガイド部５１１と、上框２２に沿って延在する上方ガイド部５１２とを備えた略Ｌ字状を成すものである。コーナードライブ５００のケース５１０は、障子２０の外部に露出する構成である。このため、本実施の形態では、中間作動装置４００のスライドブロック４１０と同様、亜鉛合金によってケース５１０が成形してある。上方ガイド部５１２において側方ガイド部５１１との連結部に近接する部分には、支持台部５１３が設けてある。支持台部５１３は、上方ガイド部５１２を上框２２の上面に当接した場合に、上方ガイド部５１２の先端部と上框２２の上面との間にスペースを確保するためのものである。
【００８９】
このケース５１０には、側方ガイド部５１１及び上方ガイド部５１２にそれぞれガイド通路５１１ａ，５１２ａが形成してあるとともに、これらのガイド通路５１１ａ，５１２ａの間に連係通路５１４が形成してある。それぞれのガイド通路５１１ａ，５１２ａ及び連係通路５１４は、帯状部材５２０をスライド可能に収容することのできる幅を有したものである。側方ガイド部５１１のガイド通路（以下、「側ガイド通路５１１ａ」という）及び上方ガイド部５１２のガイド通路（以下、「上ガイド通路５１２ａ」という）は、それぞれガイド部５１１，５１２の延在方向に沿って直線状に延在している。連係通路５１４は、側ガイド通路５１１ａと上ガイド通路５１２ａとの間を円弧状に連続させるものである。
【００９０】
側ガイド通路５１１ａ及び連係通路５１４は、ケース５１０において戸先框２５及び上框２２に対向する部位が全幅にわたって開放したもので、帯状部材５２０を面外方向へ移動させることが可能である。これら側ガイド通路５１１ａ及び連係通路５１４には、框２５，２２に対向した開放部分にカバー部材５３０が装着してある。カバー部材５３０は、樹脂材によって成形したもので、側ガイド通路５１１ａを覆う側カバー部５３１と連係通路５１４を覆う連係カバー部５３２とが一体に成形してある。このカバー部材５３０は、側カバー部５３１及び連係カバー部５３２のそれぞれに設けた係合用突出部５３１ａ，５３２ａをケース５１０の係合溝部５１１ｂ，５１３ａに係合させることによってケース５１０に着脱可能に保持してある。連係カバー部５３２の係合用突出部５３２ａが係合する係合溝部５１３ａは、上方ガイド部５１２に設けた支持台部５１３に設けてある。側カバー部５３１の係合用突出部５３１ａが係合する係合溝部５１１ｂは、側ガイド通路５１１ａの下端部内壁面に形成してある。
【００９１】
図４６〜図４８に示すように、連係カバー部５３２は、ケース５１０に装着した場合、連係通路５１４との間に帯状部材５２０を唯一挿通させることのできる空間を確保するように形成してある。一方、側カバー部５３１には、側ガイド通路５１１ａに対向する部位に収容溝部５３３が設けてある。収容溝部５３３は、一対の壁部５３３ａの間に下部連結スライダ５２２のガイド挿入部５２２ａを収容することのできる空間を確保したものである。一対の壁部５３３ａは、側ガイド通路５１１ａとの間に帯状部材５２０を唯一挿通させることのできる空間を確保できるように形成してある。
【００９２】
上ガイド通路５１２ａは、図４４及び図４７に示すように、帯状部材５２０の両側縁部をスライド可能に収容する一対のガイド溝部５１２ａ１と、一対のガイド溝部５１２ａ１の相互間に開口するスライド溝部５１２ａ２とを有したものである。スライド溝部５１２ａ２は、上方ガイド部５１２において上框２２に対向する部位に形成したもので、帯状部材５２０に連結した上部連結スライダ５２１を通過させることのできる幅に形成してある。
【００９３】
上述の構成を有するコーナードライブ５００では、ケース５１０の側ガイド通路５１１ａ及び連係通路５１４が框２５，２２に対向する部位の全幅にわたって開放してあるため、ケース５１０を型成形する場合にも型構造が複雑になるおそれもない。しかも、側ガイド通路５１１ａ及び連係通路５１４が框２５，２２に対向する部位の全幅にわたって開放し、かつ上ガイド通路５１２ａにスライド溝部５１２ａ２を有したケース５１０に対しては、図４７に示すように、予め帯状部材５２０に上部連結スライダ５２１及び下部連結スライダ５２２を連結した状態においても容易に配設することが可能である。すなわち、図４５に示すように、ケース５１０に対しては、上部連結スライダ５２１を連結した帯状部材５２０の端部を連係通路５１４から上ガイド通路５１２ａのガイド溝部５１２ａ１にそれぞれ挿入し、かつ上部連結スライダ５２１をスライド溝部５１２ａ２に挿入することが可能となる。その後、カバー部材５３０をケース５１０に装着すれば、ケース５１０に対して帯状部材５２０をスライド可能に配設したコーナードライブ５００を構成することができる。
【００９４】
このコーナードライブ５００は、上方ガイド部５１２に設けた支持台部５１３を上框２２の上面に当接させた状態で側方ガイド部５１１を戸先框２５の見込み面に固定し、上部連結スライダ５２１を上框２２の上框連係部材４０４に連結するとともに、下部連結スライダ５２２を戸先框２５の上方連係部材４０３に連結することにより、これら上框連係部材４０４と上方連係部材４０３との間を連係することが可能となる。
【００９５】
ここで、上述のコーナードライブ５００によれば、支持台部５１３によってケース５１０の上方ガイド部５１２と上框２２の上面との間にスペースが確保され、かつ上部連結スライダ５２１がスライド溝部５１２ａ２に沿ってスライド可能である。従って、上部連結スライダ５２１と上框連係部材４０４との連結位置を上方ガイド部５１２と上框２２との間に設定することが可能であり、適用する障子２０の寸法の小型化を図ることができる。
【００９６】
しかも、下部連結スライダ５２２の両側縁部とケース５１０との間には、樹脂材によって成形したカバー部材５３０の壁部５３３ａが介在する。従って、上述のコーナードライブ５００によれば、下部連結スライダ５２２がスライドする際に両側縁部が樹脂材の壁部５３３ａに摺接することになり、下部連結スライダ５２２のスライドを円滑化することができる。
【００９７】
尚、上述した実施の形態では、下部ブロック部材３３０の上面に直接制御ブロック体３２０を当接させるようにしているが、本発明は必ずしもこれに限定されない。例えば、下部ブロック部材３３０と制御ブロック体３２０との間にシムプレートやスペーサを介在させて両者を当接させるようにしても良いし、制御ブロック体３２０を構成する上部ブロック部材３２０Ａと中間ブロック部材３２０Ｂとの間にシムプレートやスペーサを介在させて両者を当接させるようにしても構わない。
【符号の説明】
【００９８】
１２  下枠、１４  戸先枠、２０  障子、２２  上框、２５  戸先框、３００  施錠装置、３１０  制御ロッド、３１１  ロックピン、３１２  開放防止突起、３１３  挿入傾動突起、３２０  制御ブロック体、３２０Ａ  上部ブロック部材、３２０Ｂ  中間ブロック部材、３２１  ロック受け、３２２  突起受け、３２３  当接ロッド部、３３０  下部ブロック部材、３３１  ロッド挿入孔
【図１】
0006512785.tif 000002
【図２】
0006512785.tif 000003
【図３】
0006512785.tif 000004
【図４】
0006512785.tif 000005
【図５】
0006512785.tif 000006
【図６】
0006512785.tif 000007
【図７】
0006512785.tif 000008
【図８】
0006512785.tif 000009
【図９】
0006512785.tif 000010
【図１０】
0006512785.tif 000011
【図１１】
0006512785.tif 000012
【図１２】
0006512785.tif 000013
【図１３】
0006512785.tif 000014
【図１４】
0006512785.tif 000015
【図１５】
0006512785.tif 000016
【図１６】
0006512785.tif 000017
【図１７】
0006512785.tif 000018
【図１８】
0006512785.tif 000019
【図１９】
0006512785.tif 000020
【図２０】
0006512785.tif 000021
【図２１】
0006512785.tif 000022
【図２２】
0006512785.tif 000023
【図２３】
0006512785.tif 000024
【図２４】
0006512785.tif 000025
【図２５】
0006512785.tif 000026
【図２６】
0006512785.tif 000027
【図２７】
0006512785.tif 000028
【図２８】
0006512785.tif 000029
【図２９】
0006512785.tif 000030
【図３０】
0006512785.tif 000031
【図３１】
0006512785.tif 000032
【図３２−１】
0006512785.tif 000033
【図３２−２】
0006512785.tif 000034
【図３３−１】
0006512785.tif 000035
【図３３−２】
0006512785.tif 000036
【図３４】
0006512785.tif 000037
【図３５−１】
0006512785.tif 000038
【図３５−２】
0006512785.tif 000039
【図３６−１】
0006512785.tif 000040
【図３６−２】
0006512785.tif 000041
【図３７】
0006512785.tif 000042
【図３８】
0006512785.tif 000043
【図３９】
0006512785.tif 000044
【図４０】
0006512785.tif 000045
【図４１】
0006512785.tif 000046
【図４２】
0006512785.tif 000047
【図４３】
0006512785.tif 000048
【図４４】
0006512785.tif 000049
【図４５】
0006512785.tif 000050
【図４６】
0006512785.tif 000051
【図４７】
0006512785.tif 000052
【図４８】
0006512785.tif 000053